(57)【要約】【課題】  たとえ被洗浄物の構造が複雑であったり大形であったりしても、労力を要さず、綺麗に洗浄できる洗浄装置を提供する。【解決手段】  被洗浄物を移動させる移動装置１に、洗い装置７と、すすぎ装置８、殺菌装置９、乾燥装置１０を付設して、被洗浄物の、洗剤溶液噴射による洗いと、すすぎ液噴射によるすすぎ、殺菌作用による殺菌、付着残液除去による乾燥を順に行うようにした。【選択図】  図１
2006263654.tif 000002
【特許請求の範囲】
【請求項１】
被洗浄物を移動させる移動装置に、洗い装置と、すすぎ装置、殺菌装置、乾燥装置を付設して、前記被洗浄物の洗いと、すすぎ、殺菌、乾燥を順に行うようにしたものであって、
前記洗い装置は、前記被洗浄物に洗剤溶液を噴射する装置であり、
前記すすぎ装置は、前記被洗浄物にすすぎ液を噴射する装置であり、
前記殺菌装置は、前記被洗浄物に殺菌作用を及ぼす装置であり、
前記乾燥装置は、前記被洗浄物の付着残液を除去する装置であることを特徴とする洗浄装置。
【請求項２】
洗い装置及びすすぎ装置がそれぞれに貯液槽を有し、そのうちのすすぎ装置の貯液槽に該すすぎ装置で噴射したすすぎ液を回収し、この回収したすすぎ液を洗い装置の貯液槽に移して、この移したすすぎ液に洗剤を加えることにより洗剤溶液とし、その洗剤溶液を洗い装置で噴射することを特徴とする請求項１記載の洗浄装置。
【請求項３】
殺菌装置で被洗浄物に殺菌作用を及ぼすものが、被洗浄物にかけるオゾン水であることを特徴とする請求項１記載の洗浄装置。
【請求項４】
移動装置の移動方向元に、被洗浄物を前処理するための前処理部を有し、この前処理部が、被洗浄物を前処理するときには停止し、処理後に移動装置へ被洗浄物を移動させることを特徴とする請求項１記載の洗浄装置。
【請求項５】
移動装置の移動方向先に、被洗浄物を後処理するための後処理部を有し、移動装置がその後処理部へ被洗浄物を移動させ、後処理部が、被洗浄物を後処理するときには停止して、処理後に先方へ被洗浄物を移動させることを特徴とする請求項１記載の洗浄装置。
【発明の詳細な説明】
【技術分野】
【０００１】
本発明は、被洗浄物を機械洗浄する洗浄装置に関する。
【背景技術】
【０００２】
従来より、被洗浄物として、例えば福祉事業に使用するレンタルの車椅子や、ベッド、歩行器などがある。これらの被洗浄物の洗浄は、従来、人手により洗剤、ブラシ、スチーム等を使用して行われているのが一般的である。
【特許文献１】特開２００２−６６４７２号公報
【特許文献２】特開２００３−８８８１８号公報
【発明の開示】
【発明が解決しようとする課題】
【０００３】
しかしながら、上述の、被洗浄物の洗浄を人手により行うのは、労力の要る作業であり、特に車椅子や歩行器のような複雑な構造のもの、並びにベッドのような大形のものを人手により洗浄するのは、難儀であった。
【０００４】
本発明は上述の事情に鑑みてなされたものであり、従ってその目的は、たとえ被洗浄物の構造が複雑であったり大形であったりしても、労力を要さず、綺麗に洗浄できる洗浄装置を提供するにある。
【課題を解決するための手段】
【０００５】
上記目的を達成するために、本発明の洗浄装置は、被洗浄物を移動させる移動装置に、洗い装置と、すすぎ装置、殺菌装置、乾燥装置を付設して、前記被洗浄物の洗いと、すすぎ、殺菌、乾燥を順に行うようにしたものであって、前記洗い装置は、前記被洗浄物に洗剤溶液を噴射する装置であり、前記すすぎ装置は、前記被洗浄物にすすぎ液を噴射する装置であり、前記殺菌装置は、前記被洗浄物に殺菌作用を及ぼす装置であり、前記乾燥装置は、前記被洗浄物の付着残液を除去する装置であることを特徴とする（請求項１の発明）。
【発明の効果】
【０００６】
上記手段によれば、被洗浄物の、洗剤溶液噴射による洗いと、すすぎ液噴射によるすすぎ、殺菌作用による殺菌、付着残液除去による乾燥を順に行うことにより、たとえ被洗浄物の構造が複雑であったり大形であったりしても、労力を要さず、綺麗に洗浄することができる。
【発明を実施するための最良の形態】
【０００７】
以下、本発明の一実施例（一実施形態）につき、図面を参照して説明する。
図１には、洗浄装置の全体を示しており、中央に移動装置１が位置している。この移動装置１は、この場合、ベルトコンベヤであり、主として、駆動プーリ２と、これから所定距離離間して配置した従動プーリ３、及びこれらの間に巻装して張架したベルト４、並びに駆動プーリ２を伝動装置５を介して回転駆動する駆動源であるモータ６から成っている。なお、図１には、モータ６によるベルト４の駆動方向を矢印Ａで示している。
【０００８】
上記移動装置１には、ベルト４の駆動方向に列させて順に、洗い装置７と、すすぎ装置８、殺菌装置９、及び乾燥装置１０を付設している。
このうち、洗い装置７は、噴液機構１１と、貯液槽１２、洗剤供給器１３、洗い用ポンプ１４、環液用ポンプ１５、ボイラ１６を有しており、そのうちの噴液機構１１を、移動装置１上の例えば左右、前後、及び上方部に配設したパイプ１７と、このパイプ１７に多数設けたノズル１８、並びにそれとは別に例えば移動装置１中又は側方に複数配設したノズル１９とで構成し、その各ノズル１８，１９から移動装置１上の中央部に向け噴液するようにしている。なお、ノズル１８，１９の一つ一つからは、それぞれ先広がりの扇形状に噴液するようにしている。
【０００９】
これに対して、貯液槽１２は、移動装置１下に設けていて、上記噴液機構１１から噴出された液を回収するようになっており、これの内部に洗剤供給器１３から洗剤（特には無発泡の洗剤）を供給するようにしている。
【００１０】
洗い用ポンプ１４は、貯液槽１２内の貯留液をフィルタ２０及び接続管２１を介して吸引し、吸引した液を接続管２２，２３を介して噴液機構１１に圧送するようになっている。
環液用ポンプ１５は、貯液槽１２内の貯留液をフィルタ２４及び接続管２５を介して吸引し、吸引した液を接続管２６、ボイラ１６、接続管２７を介して貯液槽１２に還流させるようになっており、ボイラ１６はその途中で液を加熱するようになっている。
【００１１】
次いで、すすぎ装置８は、噴液機構２８と、貯液槽２９、すすぎ用ポンプ３０、ボイラ３１を有しており、そのうちの噴液機構２８を、移動装置１上の例えば左右に配設したパイプ３２と、このパイプ３２に複数設けたノズル３３、並びにそれとは別に移動装置１の上方部に複数（１つのみ図示）配設したノズル３４、移動装置１中又は側方に複数（同じく１つのみ図示）配設したノズル３５とで構成し、その各ノズル３３〜３５から移動装置１上の中央部に向け噴液するようになっている。なお、ノズル３３〜３５の一つ一つからも、それぞれ先広がりの扇形状に噴液するようになっている。又、ノズル３４は、シリンダ３６により上下に変位されるようにもなっている。
【００１２】
これに対して、貯液槽２９は、移動装置１下に設けていて、上記噴液機構２８から噴出された液を回収するようになっている。
すすぎ用ポンプ３０は、液源である水道３７の液すなわち水を接続管３８、ボイラ３１、接続管３９を介して吸引し、吸引した水を接続管４０，４１を介して噴液機構２８に圧送するようになっており、ボイラ１６はその途中で水を加熱するようになっている。
【００１３】
そして、このすすぎ装置８の貯液槽２９と前記洗い装置７の貯液槽１２とを、連通管４２によって連通させ、すすぎ装置８における貯液槽２９内の貯留液が連通管４２を通じて洗い装置７の貯液槽１２内に移されるようにしている。従って、連通管４２は、すすぎ装置８における貯液槽２９内の貯留液を洗い装置７の貯液槽１２内に移す移し手段として機能するものである。又、それに対応して、洗い装置７の貯液槽１２には、上部に排水口４３を形成している。
【００１４】
殺菌装置９は、噴霧機構４４と、オゾン発生器４５とを有しており、そのうちの噴霧機構４４を、移動装置１の上方部に複数（１つのみ図示）配設したノズル４６と、それとは別に移動装置１中又は側方に複数（同じく１つのみ図示）配設したノズル４７とで構成している。
【００１５】
オゾン発生器４５は、オゾンを発生し、それを空気と混合して接続管４８，４９を介し上記噴霧機構４４（ノズル４６，４７）に供給するもので、各ノズル４６，４７はそのオゾン混合空気の供給を受けて噴霧するところで水道３７から水を吸引し、オゾン水となして、移動装置１上の中央部に向け噴霧するようになっている。
そして又、この殺菌装置９と乾燥装置１０との間には、オゾンによる殺菌、消毒の効果を良くするための空間５０をあけている。
【００１６】
乾燥装置１０は、噴気機構５１と、送風機であるブロワ５２とを有しており、そのうちの噴気機構５１を、移動装置１上の例えば左右に配設したパイプ５３と、このパイプ５３に多数設けたノズル５４、並びにそれとは別に移動装置１の上方部に複数配設したノズル５５とで構成し、この噴気機構５１にブロワ５２から接続管５６を介して圧縮空気を送ることにより、各ノズル５４，５５から移動装置１上の中央部に向け噴気するようになっている。又、ノズル５４は、シリンダ５７により上下に変位されるようにもなっている。
【００１７】
そして、移動装置１の移動方向元である図１の左側部には、前処理部５８を設けている。この前処理部５８は、この場合、ベルトコンベヤであり、但し、移動装置１よりも小さく、主として、駆動プーリ５９と、これから所定距離離間して配置した従動プーリ６０、及びこれらの間に巻装して張架したベルト６１、並びに駆動プーリ５９を伝動装置６２を介して回転駆動する駆動源であるモータ６３から成っている。なお、図１には、モータ６３によるベルト６１の駆動方向を矢印Ｂで示しており、移動装置１のベルト４の移動方向（矢印Ａ）と同じである。又、ベルト６１は、高さ位置を移動装置１のベルト４と同じとし、且つそれと連続する並びとしている。
【００１８】
一方、移動装置１の移動方向先である図１の右側部には、後処理部６４を設けている。この前処理部６４も、この場合、ベルトコンベヤであり、且つ、移動装置１より小さく、主として、駆動プーリ６５と、これから所定距離離間して配置した従動プーリ６６、及びこれらの間に巻装して張架したベルト６７、並びに駆動プーリ６５を伝動装置６８を介して回転駆動する駆動源であるモータ６９から成っている。なお、図１には、モータ６９によるベルト６７の駆動方向を矢印Ｃで示しており、これも、移動装置１のベルト４の移動方向（矢印Ａ）と同じである。又、ベルト６９も、高さ位置を移動装置１のベルト４と同じとし、且つそれと連続する並びとしている。
【００１９】
次に、上記構成のものの作用を述べる。
被洗浄物は、この場合、例えば福祉事業に使用するレンタルの車椅子や、ベッド、歩行器などである。この被洗浄物を最初に前処理部５８のベルト６１上に置き、適宜の前処理、例えば完全な除去が困難と推測される汚れを除去しやすくするなどを、人手によって行う。このとき、前処理部５８のベルト６１は停止したままとし、処理を終えた後に、モータ６３を起動させてベルト６１を矢印Ｂ方向に移動させる。すると、ベルト６１上に置いた被洗浄物も矢印Ｂ方向に移動し、移動装置１のベルト４上に移る。
【００２０】
そのとき、移動装置１では、モータ６でベルト４を矢印Ａ方向（矢印Ｂ方向の延長方向）に移動させており、従って、ベルト４上に移った被洗浄物もそのまま矢印Ａ方向に移動する。そして、被洗浄物が洗い装置７に至ったところでは、その洗い装置７における噴液機構１１の各ノズル１８，１９から噴出される液が被洗浄物に当てられる。
【００２１】
ここで、ノズル１８，１９から噴出される液は、貯液槽１２に貯留された液であって、且つ、環液用ポンプ１５によりボイラ１６を通じて循環されることにより例えば６０〔℃〕程度に加熱された液であり、更に、洗剤供給器１３から供給される洗剤が加えられた液すなわち洗剤溶液であり、それを洗い用ポンプ１４がフィルタ２０を通じて吸引し噴液機構１１に圧送した液である。かくして、被洗浄物は洗剤溶液の噴射を受けて洗われる。
【００２２】
次いで、被洗浄物は、ベルト４の移動に伴ってすすぎ装置８に至り、このすすぎ装置８における噴液機構２８の各ノズル３３〜３５から噴出される液が被洗浄物に当てられる。
ここで、ノズル３３〜３５から噴出される液は、水道３７からボイラ３１を経ることにより例えば６０〔℃〕程度に加熱されたすすぎ液、すなわち清浄な温水であり、それをすすぎ用ポンプ３０が吸引して噴液機構３２に圧送した液である。かくして、被洗浄物はすすぎ液の噴射を受けてすすがれる。
【００２３】
又、このとき、噴液機構２８の各ノズル３３〜３５から噴出されたすすぎ液は貯液槽２９に回収され、その余剰分が連通管４２を通じて前記洗い装置７の貯液槽１２に移され、それに伴って、洗い装置７の貯液槽１２からは、前記噴液機構１１の各ノズル１８，１９から噴出されて貯液槽１２に回収された洗剤溶液の余剰分が、被洗浄物から落ちてそれに含まれた汚れと共に排水口４３から逐次排出される。従って、先の洗い装置７における噴液機構１１の各ノズル１８，１９から噴出された洗剤溶液は、上記すすぎ装置８における噴液機構２８の各ノズル３３〜３５から噴出されて貯液槽２９に回収されたすすぎ液を基とするものであり、それに洗剤供給器１３から供給される洗剤が加えられたものである。
更に、このとき、すすぎ装置８では、ノズル３４がシリンダ３６により上下に変位されて、被洗浄物の高さに合ったすすぎ液の噴射を行う。
【００２４】
この後、被洗浄物は、ベルト４の移動に伴って殺菌装置９に至り、この殺菌装置９における噴霧機構４４のノズル４６，４７から噴霧されるオゾン水が被洗浄物にかけられる。
ここで、ノズル４６，４７から噴霧されるオゾン水は、オゾン発生器４５からオゾン混合空気がノズル４６，４７に供給されて噴霧されるところで水道３７からの水を吸引することによるオゾン水であり、それを被洗浄物にかける。かくして、被洗浄物はオゾン水の噴霧を受けて殺菌作用が及ぼされ、殺菌、消毒される。
【００２５】
そして、その後、被洗浄物はベルト４の移動に伴って、空間５０を経ることによりオゾンによる殺菌、消毒の効果を良くされた後、乾燥装置１０に至り、この乾燥装置１０における噴気機構５１のノズル５４，５５から噴出される空気が被洗浄物に当てられる。かくして、被洗浄物は空気の噴射を受けて付着残液が吹き飛ばされることにより、水切りされて付着残液が除去され、乾燥される。
又、このとき、乾燥装置１０では、ノズル５５がシリンダ５７により上下に変位されて、被洗浄物の高さに合った空気の噴射を行う。
【００２６】
その後、被洗浄物は、ベルト４の移動に伴って後処理部６４に至り、適宜の後処理、例えば残った汚れを除去するなどが、人手によって行われる。このとき、後処理部６４のベルト６７は停止したままとし、処理を終えた後に、モータ６９を起動させてベルト６７を矢印Ｃ方向に移動させる。すると、ベルト６７上に置いた被洗浄物も矢印Ｃ方向に移動し、洗浄のすべてを終わったものとして取り出される。
【００２７】
なお、この間、移動装置１のベルト４は移動を続け、前記前処理部５８での前処理を終えてベルト４上に次々と移される被洗浄物を、順次、洗い装置７、すすぎ装置８、殺菌装置９、乾燥装置１０に通して、該洗浄物の洗いと、すすぎ、殺菌、乾燥を順次行う。
【００２８】
このように本構成のものでは、被洗浄物を移動させる移動装置１に、洗い装置７と、すすぎ装置８、殺菌装置９、乾燥装置１０を付設して、被洗浄物の洗いと、すすぎ、殺菌、乾燥を順に行うもので、洗い装置７は被洗浄物に洗剤溶液を噴射する装置であり、すすぎ装置８は被洗浄物にすすぎ液を噴射する装置であって、殺菌装置９は被洗浄物に殺菌作用を及ぼす装置であり、乾燥装置１０は被洗浄物の付着残液を除去する装置である。それらにより、たとえ被洗浄物の構造が複雑であったり大形であったりしても、従来の人手で洗浄していたのに比して、労力を要さず、綺麗に洗浄することができる。
【００２９】
加えて、特に本構成のものの場合、洗い装置７及びすすぎ装置８がそれぞれに貯液槽１２，２９を有し、そのうちのすすぎ装置８の貯液槽２９に該すすぎ装置８で噴射したすすぎ液を回収し、この回収したすすぎ液を洗い装置７の貯液槽１２に移して、この移したすすぎ液に洗剤を加えることにより洗剤溶液とし、その洗剤溶液を洗い装置７で噴射するようにしている。これにより、使用後のすすぎ液を被洗浄物の洗いに再使用できて、使用水量の節約ができる。
【００３０】
又、殺菌装置９では、被洗浄物に殺菌作用を及ぼすものを、被洗浄物にかけるオゾン水としている。この場合、被洗浄物の殺菌は、被洗浄物に殺菌作用を及ぼさせれば良いのであるから、オゾン水以外、例えばオゾンガスなど殺菌作用のある気体を噴射するとか、紫外線を照射するなどであっても良いのであるが、その場合、その殺菌作用のある気体、紫外線等が外部に悪影響を及ぼさないように装置を厳密に囲う必要がある。
【００３１】
それに対して、オゾン水を被洗浄物にかけるものであれば、装置を気体や光によるもののようには厳密に囲う必要がなく、それだけ装置を簡単にできて、設備費を少なく抑えることができる。又、オゾン水としたことにより、オゾンガスなど気体とは異なり、含んだ水分により空気中への発散が抑えられるので、殺菌作用が永く持続し、殺菌、消毒効果が高く得られる。しかも、被洗浄物を殺菌、消毒した後のオゾン水は、洗浄作業場を流れ、又は排水溝等へ流入することにより、それらの場所での雑菌等の繁殖を抑えるのに効果があり、作業環境を良くするのに効果を奏する。
【００３２】
更に、移動装置１の移動方向元には、被洗浄物を前処理するための前処理部５８を有し、この前処理部５８が、被洗浄物を前処理するときには停止し、処理後に移動装置１へ被洗浄物を移動させるようにしている。これにより、被洗浄物の前処理が前処理部５８を停止させた状態で所望にできると共に、前処理後の被洗浄物を移動装置１に移すのが人手を要さず容易にできる。
【００３３】
そして、移動装置１の移動方向先には、被洗浄物を後処理するための後処理部６４を有し、移動装置１がその後処理部６４へ被洗浄物を移動させ、後処理部６４が、被洗浄物を後処理するときには停止して、処理後に先方へ被洗浄物を移動させるようにしている。これにより、移動装置１での洗浄を終えた被洗浄物を後処理部６４に移すのが人手を要さず容易にできると共に、被洗浄物の後処理が後処理部６４を停止させた状態で所望にでき、そして更には、後処理後の被洗浄物を先方に移して取り出すのが人手を要さず容易にできる。
【００３４】
なお、移動装置１や前処理部５８及び後処理部６４は、ベルトコンベヤ以外に例えばローラコンベヤ等としても良い。
又、殺菌装置９は、基本的には、前述のオゾンガスなど殺菌作用のある気体を噴射するとか、紫外線を照射するなどの装置としても良い。
【００３５】
更に、乾燥装置は、被洗浄物の付着残液を熱気により蒸発させるものとしても良い。但し、それに比して、上述の被洗浄物の付着残液を空気の噴射で吹き飛ばして水切りするものでは、所要時間が短くて済み、費用も少なく済ませることができる。
加えて、被洗浄物も、前述の福祉事業に使用するレンタルの車椅子や、ベッド、歩行器など、福祉用レンタル機器、もしくは福祉用機器には限られない。
そのほか、本発明は上記し且つ図面に示した実施例にのみ限定されるものではなく、要旨を逸脱しない範囲内で適宜変更して実施し得る。
【図面の簡単な説明】
【００３６】
【図１】本発明の一実施例を示す概略的側面図
【符号の説明】
【００３７】
図面中、１は移動装置、７は洗い装置、８はすすぎ装置、９は殺菌装置、１０は乾燥装置、１１は噴液機構、１２は貯液槽、２８は噴液機構、２９は貯液槽、４２は連通管、４４は噴霧機構、５１は噴気機構、５８は前処理部、６４は後処理部を示す。
【図１】
2006263654.tif 000003